【手続補正書】
【提出日】平成27年7月2日(2015.7.2)
【手続補正１】
【補正対象書類名】特許請求の範囲
【補正対象項目名】全文
【補正方法】変更
【補正の内容】
【特許請求の範囲】
【請求項１】
基板と、前記基板上に設けられ、駆動パルスが印加されることによってインクを吐出するためのエネルギーを生成する複数のヒータと、前記基板上に設けられた温度センサとを少なくとも有する記録ヘッドと、
第１のタイミングにて前記温度センサにより検出される温度に関する第１の情報を取得する第１の取得手段と、
前記第１のタイミングの近傍のタイミングにて第１の駆動パルスを前記複数のヒータに印加することにより、入力される画像データを補正するために用いられるテストパターンを記録するように制御する第１の記録制御手段と、
前記第１のタイミングよりも後の第２のタイミングにて前記温度センサによって検出される温度に関する第２の情報を取得する第２の取得手段と、
前記第１の取得手段によって取得された前記第１の情報が示す温度と前記第２の取得手段によって取得された前記第２の情報が示す温度とに応じて、前記複数のヒータに印加する第２の駆動パルスを決定する決定手段と、
前記画像データと前記テストパターンに基づいて生成された記録データに基づいて、前記第２のタイミングよりも後のタイミングにて前記決定手段により決定された前記第２の駆動パルスを前記複数のヒータに印加することにより画像を記録するように制御する第２の記録制御手段とを有することを特徴とする記録装置。
【請求項２】
前記駆動パルスは、メインパルスと前記メインパルスに先立って前記ヒータに印加されるプレパルスとから構成されることを特徴とする請求項１に記載の記録装置。
【請求項３】
前記決定手段は、
（ｉ）前記第２の取得手段によって取得された前記第２の情報が示す温度が前記第１の取得手段によって取得された前記第１の情報が示す温度よりも高い場合、前記第２の駆動パルスを構成するプレパルスのパルス幅が前記第１の駆動パルスを構成するプレパルスのパルス幅よりも短くなるように、前記第２の駆動パルスを決定し、
（ｉｉ）前記第２の取得手段によって取得された前記第２の情報が示す温度が前記第１の取得手段によって取得された前記第１の情報が示す温度よりも低い場合、前記第２の駆動パルスを構成するプレパルスのパルス幅が前記第１の駆動パルスを構成するプレパルスのパルス幅よりも長くなるように、前記第２の駆動パルスを決定することを特徴とする請求項２に記載の記録装置。
【請求項４】
前記第１の取得手段によって取得された前記第１の情報が示す温度と前記第２の取得手段によって取得された前記第２の情報が示す温度との間の温度差に関する第３の情報を更に取得する第３の取得手段をさらに有し、
前記決定手段は、前記第３の取得手段によって取得された前記第３の情報が示す温度に基づいて前記第２の駆動パルスを決定することを特徴とする請求項２又は３に記載の記録装置。
【請求項５】
前記決定手段は、
（ｉ）前記第２の取得手段によって取得された前記第２の情報が示す温度が前記第１の取得手段によって取得された前記第１の情報が示す温度よりも高く、且つ、前記第３の取得手段によって取得された前記第３の情報が示す温度差が第１の値である場合、前記第２の駆動パルスを構成するプレパルスのパルス幅が第１の幅となるように、前記第２の駆動パルスを決定し、
（ｉｉ）前記第２の取得手段によって取得された前記第２の情報が示す温度が前記第１の取得手段によって取得された前記第１の情報が示す温度よりも高く、且つ、前記第３の取得手段によって取得された前記第３の情報が示す温度差が前記第１の値よりも大きい第２の値である場合、前記第２の駆動パルスを構成するプレパルスのパルス幅が前記第１の幅よりも短い第２の幅となるように、前記第２の駆動パルスを決定することを特徴とする請求項４に記載の記録装置。
【請求項６】
前記決定手段は、
（ｉ）前記第２の取得手段によって取得された前記第２の情報が示す温度が前記第１の取得手段によって取得された前記第１の情報が示す温度よりも低く、且つ、前記第３の取得手段によって取得された前記第３の情報が示す温度差が第３の値である場合、前記第２の駆動パルスを構成するプレパルスのパルス幅が第３の幅となるように、前記第２の駆動パルスを決定し、
（ｉｉ）前記第２の取得手段によって取得された前記第２の情報が示す温度が前記第１の取得手段によって取得された前記第１の情報が示す温度よりも低く、且つ、前記第３の取得手段によって取得された前記第３の情報が示す温度差が前記第３の値よりも大きい第４の値である場合、前記第２の駆動パルスを構成するプレパルスのパルス幅が前記第３の幅よりも長い第４の幅となるように、前記第２の駆動パルスを決定することを特徴とする請求項４又は５に記載の記録装置。
【請求項７】
前記第１の記録制御手段によって記録された前記テストパターンに基づいて、入力される前記画像データを補正するためのパラメータを生成する第１の生成手段と、
入力される前記画像データと、前記第１の生成手段によって生成された前記パラメータとに基づいて、前記記録データを生成する第２の生成手段とをさらに有し、
前記第２の記録制御手段は、前記第２の生成手段によって生成された前記記録データに基づいて画像を記録するように制御することを特徴とする請求項１乃至６のいずれか１項に記載の記録装置。
【請求項８】
前記第１の記録制御手段によって記録された前記テストパターンを読み取る読取手段をさらに有し、
前記第１の生成手段は、前記読取手段による前記テストパターンの読み取り結果に基づいて前記パラメータを生成することを特徴とする請求項７に記載の記録装置。
【請求項９】
前記第１の駆動パルスを含む複数の前記駆動パルスを記憶するメモリをさらに有し、
前記決定手段は、前記メモリに記憶された前記複数の駆動パルスの中から前記第２の駆動パルスを決定することを特徴とする請求項１乃至８のいずれか１項に記載の記録装置。
【請求項１０】
前記第１の記録制御手段は、前記第１のタイミングよりも後のタイミングにて前記テストパターンを記録するように制御することを特徴とする請求項１乃至９のいずれか１項に記載の記録装置。
【請求項１１】
基板と、前記基板上に設けられ、駆動パルスが印加されることによってインクを吐出するためのエネルギーを生成する複数のヒータと、前記基板上に設けられた温度センサとを少なくとも有する記録ヘッドを用いて記録を行う記録方法であって、
第１のタイミングにて前記温度センサにより検出される温度に関する第１の情報を取得し、
前記第１のタイミングの近傍のタイミングにて第１の駆動パルスを前記複数のヒータに印加することにより、入力される画像データを補正するために用いられるテストパターンを記録し、
前記第１のタイミングよりも後の第２のタイミングにて前記温度センサによって検出される温度に関する第２の情報を取得し、
取得された前記第１の情報が示す温度と前記第２の情報が示す温度とに応じて、前記複数のヒータに印加する第２の駆動パルスを決定し、
前記画像データと前記テストパターンに基づいて生成された記録データに基づいて、前記第２のタイミングよりも後のタイミングにて、前記決定された第２の駆動パルスを前記複数のヒータに印加することにより画像を記録することを特徴とする記録方法。
【手続補正２】
【補正対象書類名】明細書
【補正対象項目名】発明の名称
【補正方法】変更
【補正の内容】
【発明の名称】記録装置及びその記録方法
【手続補正３】
【補正対象書類名】明細書
【補正対象項目名】０００１
【補正方法】変更
【補正の内容】
【０００１】
本発明は記録装置及びその記録方法に関する。本発明は、特に、例えば、フルラインヘッドを備えた記録装置及びその記録方法に関する。
【手続補正４】
【補正対象書類名】明細書
【補正対象項目名】０００９
【補正方法】変更
【補正の内容】
【０００９】
本発明は上記従来例に鑑みてなされたもので、高精度なセンサを記録装置本体に有することなく、記録ヘッドの温度センサの出力に応じ、好適な駆動制御を実行することが可能な記録装置及びその記録方法を提供することを目的とする。
【手続補正５】
【補正対象書類名】明細書
【補正対象項目名】００１１
【補正方法】変更
【補正の内容】
【００１１】
即ち、基板と、前記基板上に設けられ、駆動パルスが印加されることによってインクを吐出するためのエネルギーを生成する複数のヒータと、前記基板上に設けられた温度センサとを少なくとも有する記録ヘッドと、第１のタイミングにて前記温度センサにより検出される温度に関する第１の情報を取得する第１の取得手段と、前記第１のタイミングの近傍のタイミングにて第１の駆動パルスを前記複数のヒータに印加することにより、入力される画像データを補正するために用いられるテストパターンを記録するように制御する第１の記録制御手段と、前記第１のタイミングよりも後の第２のタイミングにて前記温度センサによって検出される温度に関する第２の情報を取得する第２の取得手段と、前記第１の取得手段によって取得された前記第１の情報が示す温度と前記第２の取得手段によって取得された前記第２の情報が示す温度とに応じて、前記複数のヒータに印加する第２の駆動パルスを決定する決定手段と、前記画像データと前記テストパターンに基づいて生成された記録データに基づいて、前記第２のタイミングよりも後のタイミングにて前記決定手段により決定された前記第２の駆動パルスを前記複数のヒータに印加することにより画像を記録するように制御する第２の記録制御手段とを有することを特徴とする。
【手続補正６】
【補正対象書類名】明細書
【補正対象項目名】００１２
【補正方法】変更
【補正の内容】
【００１２】
また本発明を別の側面から見れば、基板と、前記基板上に設けられ、駆動パルスが印加されることによってインクを吐出するためのエネルギーを生成する複数のヒータと、前記基板上に設けられた温度センサとを少なくとも有する記録ヘッドを用いて記録を行う記録方法であって、第１のタイミングにて前記温度センサにより検出される温度に関する第１の情報を取得し、前記第１のタイミングの近傍のタイミングにて第１の駆動パルスを前記複数のヒータに印加することにより、入力される画像データを補正するために用いられるテストパターンを記録し、前記第１のタイミングよりも後の第２のタイミングにて前記温度センサによって検出される温度に関する第２の情報を取得し、取得された前記第１の情報が示す温度と前記第２の情報が示す温度とに応じて、前記複数のヒータに印加する第２の駆動パルスを決定し、前記画像データと前記テストパターンに基づいて生成された記録データに基づいて、前記第２のタイミングよりも後のタイミングにて、前記決定された第２の駆動パルスを前記複数のヒータに印加することにより画像を記録することを特徴とする記録方法を備える。